(57)【特許請求の範囲】
【請求項１】
複数台の室内ユニットと、この複数台の室内ユニットに接続され各室内ユニットに空調指令や冷媒を送る室外ユニットを有するマルチエアコンシステムにおいて、
前記室外ユニットの外壁に配設され前記室内ユニットにて検出された異常運転を報知する異常報知手段を有し、
前記マルチエアコンシステムは、更に前記室外ユニット及び室内ユニットに対して運転又は停止の指令を出力し前記室内ユニットにそれぞれ接続されるリモコンを有し、
前記異常報知手段には、前記リモコンに配設したランプを点灯されるスイッチが設けられていることを特徴とするマルチエアコン異常停止時の異常報知器。
【請求項２】
請求項１に記載のマルチエアコン異常停止時の異常報知器において、
前記異常報知手段は、２つ以上のランプからなり、
前記２つ以上のランプの点滅タイミングの組み合わせによって異常発生を検出した室内ユニットを特定し、
前記マルチエアコンシステムは、更に前記室外ユニット及び室内ユニットに対して運転又は停止の指令を出力し前記室内ユニットにそれぞれ接続されるリモコンを有し、
前記異常報知手段には、前記リモコンに配設したランプを点灯されるスイッチが設けられていることを特徴とするマルチエアコン異常停止時の異常報知器。
【発明の詳細な説明】
【０００１】
【産業上の利用分野】
本発明はマルチエアコン異常停止時の異常報知器、特に異常発生を検知した室内ユニットに接続された室外ユニットを容易に特定する異常報知器に関する。
【０００２】
【従来の技術】
近年、ビルの空調は、小型分散が主流となりつつある。図５には、マルチエアコンシステムの構成が示されている。通常、マルチエアコンシステムの一単位は、図５に示すように、１台の室外ユニット１に対して複数台の室内ユニット２が接続され、室内ユニット２には、室外ユニット１及び室内ユニット２に対して運転又は停止の指令を出力するリモコン３が接続されている。また、室外ユニット１と複数台の室外ユニット２との間で冷媒を循環させるために、室外ユニット１と複数台の室外ユニット２とを連結する配管４が設けられている。更に、室外ユニット１、室内ユニット２及びリモコン３との間の指令を伝達するために、室外ユニット１と複数台の室内ユニット２とを接続し、更に室内ユニット２とリモコン３とを接続する伝送線５が設けられている。従って、１台の室外ユニット１によって複数台の室内ユニット２が集中制御される。
【０００３】
大型ビルの空調装置は、図６に示すように、複数単位のマルチエアコンシステムが配置されている。すなわち、室外ユニット１が複数台配置され、上述したように各室外ユニット１に対して複数台の室内ユニット２が接続されている。
【０００４】
上記構成のマルチエアコンにおいて、室外ユニット１又は室内ユニット２のいずれかが空調運転異常を検知した場合、異常発生信号を伝送線５を介してリモコン３に送り、異常発生をリモコン３に表示する。また、室内ユニット２が異常運転を検出した場合には、室内ユニット２から異常発生の情報のみ伝送線５を介して室外ユニット１に送られ、室内ユニット２は異常停止する。
【０００５】
作業者は、異常を発生した室外ユニット１を見付け出して、室外ユニット１又は室内ユニット２の修理作業を行い、マルチエアコンシステムの運転を再開させる。
【０００６】
【発明が解決しようとする課題】
上記従来のマルチエアコンシステムにおいて、異常運転の発生は、図６及び図７に示す室外ユニット１の側面のパネル８の内側に設けられた室外制御基板９上の運転モニタに表示される。従って、マルチエアコンシステムが一単位、すなわち室外ユニット１が１台の場合には、作業者はその１台の室外ユニット１のパネル８を外して、異常の発生を把握していた。
【０００７】
しかしながら、マルチエアコンシステムが複数単位の場合には、室外ユニット１が複数台存在するので、図６に示す異常発生室外ユニット７を見付け出すために、多数の室外ユニット１のパネル８を取り外す必要があった。従って、異常発生室外ユニット７を見付け出すまでに、長時間を要し、このためマルチエアコンシステムを復帰させる作業時間が長時間化して、非効率的であった。
【０００８】
本発明は上記課題に鑑みなされたものであり、その目的は、異常発生を検知した室内ユニットに接続された室外ユニットを容易に特定する異常報知器を提供することにある。
【０００９】
【課題を解決するための手段】
以上のような課題を解決するために、本発明に係るマルチエアコン異常停止時の異常報知器は、以下の特徴を有する。
【００１０】
（１）複数台の室内ユニットと、この複数台の室内ユニットに接続され各室内ユニットに空調指令や冷媒を送る室外ユニットを有するマルチエアコンシステムにおいて、前記室外ユニットの外壁に配設され前記室内ユニットにて検出された異常運転を報知する異常報知手段を有し、前記マルチエアコンシステムは、更に前記室外ユニット及び室内ユニットに対して運転又は停止の指令を出力し前記室内ユニットにそれぞれ接続されるリモコンを有し、前記異常報知手段には、前記リモコンに配設したランプを点灯されるスイッチが設けられている。
【００１１】
（２）上記（１）に記載のマルチエアコン異常停止時の異常報知器において、前記異常報知手段は、２つ以上のランプからなり、前記２つ以上のランプの点滅タイミングの組み合わせによって異常発生を検出した室内ユニットを特定し、前記マルチエアコンシステムは、更に前記室外ユニット及び室内ユニットに対して運転又は停止の指令を出力し前記室内ユニットにそれぞれ接続されるリモコンを有し、前記異常報知手段には、前記リモコンに配設したランプを点灯されるスイッチが設けられている。
【００１３】
【作用】
以上のように構成された本発明に係るマルチエアコン異常停止時の異常報知器によれば、異常運転を報知する異常報知手段が、室外ユニットの外壁に配設されているので、作業者は、パネルを取り外すことなく、目視で異常発生室外ユニットを容易に見付け出すことができる。
【００１４】
更に、前記異常報知手段は２つ以上のランプからなり、この２つ以上のランプの点滅タイミングの組み合わせによって異常発生を検出した室内ユニットを特定することができるので、作業者は異常発生を検出した室内ユニットを容易に見付け出し保守又は修理作業を行うことができる。
【００１５】
また、前記異常報知手段には、リモコンに配設したランプを点灯されるスイッチが設けられているので、異常発生室外ユニットに室内ユニットを介して接続されているリモコンを識別することができる。このため、異常発生を表示したリモコンを特定し、保守作業を行うことができる。
【００１６】
【実施例】
以下、図面に基づいて本発明の好適な一実施例を説明する。
【００１７】
実施例１．
図１は、本発明に係るマルチエアコン異常停止時の異常報知器における異常報知手段が室外ユニットに配設されている図であり、図２は、図１の異常発生インジケータ１８の拡大図である。また、図３は、本発明の異常報知器における異常ランプ１９の点滅パターンを説明する図である。尚、先に述べたマルチエアコンシステムと同様の構成要素には同一の符号を付しその説明を省略する。
【００１８】
図１に示すように、本実施例の室外ユニット１は、その側面外壁に異常発生インジケータ１８が設けられ、図２に示すように、この異常発生インジケータ１８上に２つの異常ランプ１９が配置されている。従って、作業者は異常発生室外ユニットを容易に見付け出すことができる。
【００１９】
本実施例のマルチエアコンシステムにおいて、室内ユニット２により異常運転が検知された場合には、室外ユニット２からの異常発生情報が伝送線５を介して室外ユニット１に伝送される。そして、異常発生情報を受信した室外ユニット１は、２つの異常ランプ１９を点灯させる。
【００２０】
各室内ユニット２には、ユニット番号が設けられており、更にこのユニット番号は、予め２つの異常ランプ１９の点滅タイミングの組み合わせと対応づけられている。例えば、図３に示すように、１つの異常ランプ１９の点滅タイミングを６通り設けておけば、２つの異常ランプ１９の点灯タイミングの組み合わせは６×６で３６通りとなり、３６台の室内ユニット２を２つの異常ランプ１９の点滅タイミングの組み合わせで特定することができる。
【００２１】
従って、作業者は、異常発生を検出した室内ユニットを容易に見付け出し修理又は点検等を行うことができる。また、各室内ユニット２毎に異常ランプ１９を配置する必要がないので、安価なマルチエアコンシステムを提供することができる。
【００２２】
実施例２．
図４は、本発明に係るマルチエアコン異常停止時の異常報知器用のリモコンを示す図である。尚、先に述べたマルチエアコンシステム及び実施例１と同様の構成要素には同一の符号を付しその説明を省略する。
【００２３】
図２に示すように、室外ユニット１には、異常発生インジケータ１８上に室外リモコン表示スイッチ１０が設けられ、一方リモコン３には、図４に示すように室外リモコン表示スイッチ１０を押すと点灯する判別ランプ１１が設けられている。
【００２４】
従って、室外リモコン表示スイッチ１０を押し判別ランプ１１を点灯させることにより、異常発生の室外ユニット１が室内ユニット２を介して接続されるリモコン３を捜し出すことができる。これにより、異常発生を表示したリモコンを特定して、速やかに作業者は保守作業を行うことができる。
【００２５】
【発明の効果】
以上のように、本発明に係るマルチエアコン異常停止時の異常報知器によれば、異常運転を報知する異常報知手段が、室外ユニットの外壁に配設されているので、作業者は、パネルを取り外すことなく、目視で異常発生室外ユニットを容易に見付け出すことができる。
【００２６】
更に、前記異常報知手段は２つ以上のランプからなり、この２つ以上のランプの点滅タイミングの組み合わせによって異常発生を検出した室内ユニットを特定することができるので、異常発生を検出した室内ユニットを容易に見付け出し保守又は修理作業を行うことができる。
【００２７】
また、前記異常報知手段には、リモコンに配設したランプを点灯されるスイッチが設けられているので、異常発生室外ユニットに室内ユニットを介して接続されているリモコンを識別することができる。このため、異常発生を表示したリモコンを特定し、保守作業を行うことができる。
【００２８】
従って、本発明に係るマルチエアコン異常停止時の異常報知器によれば、複数台の室外ユニットから異常発生室外ユニットを容易に見付け出すことができるので、作業時間の短縮が図れる。更に、室外ユニットの異常報知手段は、異常運転を検出した室内ユニットを特定する異常ランプであるので、各室内ユニット毎に異常ランプを配置する必要がなく、安価なマルチエアコンシステムを提供することができる。
【図面の簡単な説明】
【図１】本発明に係るマルチエアコン異常停止時の異常報知器における異常報知手段が室外ユニットに配設されている図である。
【図２】図１の異常発生インジケータ１８の拡大図である。
【図３】本発明の室外ユニット異常報知器の異常ランプ１９の点滅パターンを説明する図である。
【図４】本発明に係るマルチエアコン異常停止時の異常報知器用のリモコンを示す図である。
【図５】マルチエアコンシステムの構成を示す図である。
【図６】マルチエアコンシステムが複数単位配置されているビル空調装置を示す図である。
【図７】従来の室外ユニットのパネルを取り外した側面図である。
【符号の説明】
１  室外ユニット、２  室内ユニット、３  リモコン、４  配管、５  伝送線、６  作業員、７  異常発生室外ユニット、１０  室外リモコン表示スイッチ、１１  判別ランプ、１８  異常発生インジケータ、１９  異常ランプ。
【図１】
0003556992.tif 000002
【図２】
0003556992.tif 000003
【図３】
0003556992.tif 000004
【図４】
0003556992.tif 000005
【図５】
0003556992.tif 000006
【図６】
0003556992.tif 000007
【図７】
0003556992.tif 000008